(57)【要約】【課題】バール等の手工具のみならず、ハンドドリルやサンダーなどの携帯電動工具等による攻撃に対しても、容易に破壊されない防犯扉構造を安価な方法で提供する。【解決手段】キー金具を操作して電子機器の筐体１に取り付けた開閉扉を閉位置にロックするロックキーと、その一方端を前記扉の内側に連結し、その他方端に前記筐体１の内側に取り付けたフック嵌合部材と嵌合する鈎部を設けたフック１９と、フック１９を取り付けると共に該フックの鈎部を前記フック嵌合部材に嵌合する方向に駆動するフック駆動部材１６と、ロックキーに取り付けられ前記鈎部の前記嵌合する方向への移動を抑止する抑止部材１４とからなり、前記ロックキーにキーによる開放操作以外の外力が印加されたとき前記抑止部材はその抑止を解除する。【選択図】　　　　図１
2004044171.tif 000002
【特許請求の範囲】
【請求項１】
キー金具を操作して電子機器の筐体に取り付けた開閉扉を閉位置にロックするロックキー部と、
その一方端を前記扉の内側に連結し、その他方端に前記筐体の内側に取り付けたフック嵌合部材と嵌合する鈎部を設けたフックと、
フックを取り付けると共に該フックの鈎部を前記フック嵌合部材に嵌合する方向に駆動するフック駆動部材と、
ロックキー部に取り付けられ前記鈎部の前記嵌合する方向への移動を抑止する抑止部材とからなり、
前記ロックキー部にキーによる開放操作以外の外力が印加されたとき前記抑止部材はその抑止を解除することを特徴とする電子機器の防犯扉構造。
【請求項２】
キー金具を操作して電子機器の筐体に取り付けた開閉扉を閉位置にロックするロックキー部と、
その一方端を前記扉の内側に連結し、その他方端に前記筐体の内側に取り付けたフック嵌合部材と嵌合する鈎部を設けたフックと、
フックを取り付けると共に該フックの鈎部を前記フック嵌合部材に嵌合する方向に駆動するフック駆動部材と、
ロックキー部に取り付けられ前記鈎部の前記嵌合する方向への移動を抑止する抑止部材とからなり、
前記抑止部材はロックキー部にキー軸方向の外力が印加されたとき前記抑止部材による抑止を解除する解除部を備えたことを特徴とする電子機器の防犯扉構造。
【請求項３】
キー金具を操作して電子機器の筐体に取り付けた開閉扉を閉位置にロックするロックキー部と、
その一方端を前記扉の内側に連結し、その他方端に前記筐体の内側に取り付けたフック嵌合部材と嵌合する鈎部を設けたフックと、
フックを取り付けると共に該フックの鈎部を前記フック嵌合部材に嵌合する方向に駆動するフック駆動部材と、
ロックキー部に取り付けられ前記鈎部の前記嵌合する方向への移動を抑止する抑止部材と、
前記筐体の振動を検知するセンサとからなり、該センサが振動を検出したとき前記抑止部材による抑止を解除することを特徴とする電子機器の防犯扉構造。
【発明の詳細な説明】
【０００１】
【発明の属する技術分野】
本発明は電子機器の防犯扉構造にかかり、特に安価かつ強固に構成可能な電子機器の防犯扉構造に関する。
【０００２】
【従来の技術】
現金自動取引装置などの装置内部に多額の貨幣を収納している電子機器は、盗難に会い易い。従来は、バール、タガネ、ハンマー等の手工具を用いて、扉と本体との隙間部を攻撃破壊する事件がが多発していた。近年では、筐体前面に露出した扉の錠前をハンドドリル、サンダーなどの携帯電動工具を用いて攻撃破壊する事件が多発するようになった。
【０００３】
前記手工具を用いた攻撃破壊に対しては、筐体及び扉の板厚を増加したり、あるいはロックシャフト及びロックプレートを多数設けること防犯強度を増加することができる。また、前記電動工具を用いた錠前（ロックキー）攻撃に対しては、ロック機構のリンクを動かせないように該リンク機構を扉内でロックする構造が知られている。
【０００４】
【発明が解決しようとする課題】
しかしながら、前記手工具を用いた攻撃破壊に対して、筐体及び扉の板厚を増加したり、あるいはロックシャフト及びロックプレートを多数設けて防犯強度を増加する方法は装置のコストアップを招く。また、錠前のドリル破壊に対しては、錠前のシリンダー内部に超鋼製のブロックやボールを入れたり、錠前の前方部にシリンダーと分離した超鋼製のカバーを設けたり、鍵穴部を焼き入れし、硬質化等を図ったりしてきた。このような耐ドリル対策を実施すれば所定の効果はあるが、錠前のコストはアップしてしまう。逆に錠前を安価なものにすれば、ロック機構のリンクが動かされ、ロックが解除され、扉が開いてしまう。また、前述のように錠前を攻撃された場合でも、ロック機構のリンクが動かせないように、扉内でロックする構造はあるが、本体側とロックするものではない。
【０００５】
また、扉と本体とを錠前により連結したチェーンでロックする方法も知られているが、チェーンと錠前が外面に露出しているので狙われ易く、錠前が破壊されるとチェーンが外れてしまい、扉が開いてしまうという欠点があった。
【０００６】
本発明は、これらの問題点に鑑みてなされたもので、バール等の手工具のみならず、ハンドドリルやサンダーなどの携帯電動工具等による攻撃に対しても、容易に破壊されない防犯扉構造を安価な方法で提供する。
【０００７】
【課題を解決するための手段】
本発明は、上記の課題を解決するために次のような手段を採用した。
【０００８】
キー金具を操作して電子機器の筐体に取り付けた開閉扉を閉位置にロックするロックキーと、その一方端を前記扉の内側に連結し、その他方端に前記筐体の内側に取り付けたフック嵌合部材と嵌合する鈎部を設けたフック１９と、フックを取り付けると共に該フックの鈎部を前記フック嵌合部材に嵌合する方向に駆動するフック駆動部材と、ロックキーに取り付けられ前記鈎部の前記嵌合する方向への移動を抑止する抑止部材とからなり、前記ロックキーにキーによる開放操作以外の外力が印加されたとき前記抑止部材はその抑止を解除する。
【０００９】
【発明の実施の形態】
以下、本発明の実施形態を添付図面を参照しながら説明する。図１ないし図５は、本発明の実施形態にかかる電子機器の防犯扉構造を説明する図であり、図１は正面図（扉部分を透視した正面図）、図２は側面図、図３は正面図（フックが本体側にロックした状態を示す）、図４は電子機器の全体外観図、図５は電子機器の全体正面図である。
【００１０】
現金自動取引装置等の現金を取り扱う電子機器は、本体を内蔵する筐体１、筐体１に取り付けた開閉扉２、筐体１に取り付けた操作パネル３等から構成されている。筐体１には、例えば入出金処理のための紙幣／硬貨ユニット４を筐体下部に実装する。
【００１１】
扉２は、現金を収納した筐体の下部を覆うように取り付ける。扉２の左右の何れか一方には蝶番を取り付け、扉２は該蝶番の軸を中心にして開閉することができる。また、前記扉の蝶番と反対側には扉２をロックするためのロックキー５を含むロック機構を配置する。
【００１２】
扉２の内側には紙幣／硬貨ユニット４を配置しているため、扉２を開放すれば、紙幣や硬貨を収容した紙幣／硬貨ユニット４のカセットに容易にアクセスすることができる。つまり、扉２を開けさえすれば容易に現金を持ち出すことができる。このため、扉２にはロックキー５を取り付け、扉２を閉位置にロックする。
【００１３】
なお、２８は、フック１９，チェーン２２，チェーン係合部材２３，フック嵌合部材２６等からなるチェーンフック機構であり、詳細は後述する。
【００１４】
図２に示すように、ロックキー５は扉２に大ナット６により固定する。ロックキー５の後部（図面の左方）には、キー金具７を小ナット８により固定する。キー金具７の上下端にはそれぞれ孔を空け、それぞれの孔に上ロックシャフト８ａ及び下ロックシャフト８ｂを取付ける。ロックシャフト８ａ，８ｂは、例えば丸棒の一端を潰し加工し、あるいはシャフトの一端に板金を溶接してシャフトの一端に平坦部を形成し、該平坦部に孔を空けることにより形成することができる。
【００１５】
キー金具７とロックシャフト８ａ，８ｂとの連結は、両者に設けた穴を挿通するようにカラー９を挿入し、該カラーの内側にボルト１０を挿入しナット１１で締め付ける。その際、キー金具７とロックシャフト８ａ，８ｂは相互に回転可能に結合することが必要である。このためカラー９の厚みをキー金具７とロックシャフト８ａまたは８ｂの板厚の合計値よりやや大きくする必要がある。また、ロックシャフト８ａ，８ｂは前後、左右方向にぶれないように、扉２に固着したガイド金具１２によりぶれを規制する。
【００１６】
図６，７は、ロックシャフト８ａ、８ｂを用いたロック機構を説明する図であり、図６はロック状態を示す図、図７はロック解除状態を示す図である。これらの図に示すように、扉２の上下端に当接する筐体側にはシャフト受け金具１３ａ，及び１３ｂを例えばネジ１３ｃを介して取り付ける。扉２を閉位置にロックする場合は、前記シャフト受け金具１３ａ，及び１３ｂにそれぞれロックシャフト８ａ，８ｂが挿入してロックを掛ける。シャフト受け金具１３ａ，１３ｂは扉の前後方向のガタ調整が可能な様にネジ１３ｃにより固定するのがよい。
【００１７】
扉２の開閉操作に際しては、ロックキー５を右方向（開方向）に回転させると、キー金具７も同時に右方向に回転し、キー金具７と連結しているロックシャフト８も動作する。すなわち、上ロックシャフト８ａは下方向に移動し、下ロックシャフト８ｂは上方向に移動する。これにより、ロックシャフト８ａ、８ｂは筐体側のシャフト受け金具１３から外れてロックが解除され、扉２はヒンジ機構の軸を中心にして開放することができる。一方、扉２を閉める場合には、ロックキー５を右方向に回転させた状態で扉２を閉じる。扉２が閉位置まできたところで、ロックキー５を左方向（閉方向）へ回転させると、キー金具７も左方向に回転し、上ロックシャフト８ａは上方向に移動し、下ロックシャフト８ｂは下方向に移動する。これによりロックシャフト８ａ、８ｂは筐体側のシャフト受け金具１３に入り込み、ロックが掛かる。
【００１８】
次に、チェーンを備えたフック１９をフック嵌合部材２６に嵌合させるチェーンフック機構２８について説明する。
【００１９】
図２に示すように、ロックキー５の後部にキー金具７を取り付ける。また、キー金具７の前部にキー破損金具１４を取付ける。キー破損金具１４は、ロックキー５の回転動作の伴って回転しないように、キー金具７の取付け穴にキーカラー１５を挿入し、該キーカラー１５をロックキー５にキー金具７と共に締め付けて固定する。これによりキー破損金具１４はキーカラーに遊嵌して取り付けられることになる。キーカラー１５の厚みは、キー破損金具１４の板厚より０．３〜０．５ｍｍ程大きくするとよい。また、キー破損金具１４は、図１の正面図に示すように箱型状をしており、下面には、扉方向に延在する曲げ部１４ｂを備え、該曲げ部１４ｂにはフック駆動部材と係合する係合部１４ｃをＵ溝状に形成している。また、上面には扉方向に延在する曲げ部１４ａを備えている。キー破損金具１４の曲げ部１４ｂに形成したＵ溝状の係合部１４ｃは、フック駆動部材１６に設けた溝１６ａを引っ掛けてフック駆動部材を係止する。すなわち、キー破損金具１４は曲げ部１４ｂに形成したＵ溝状の係合部１４ｃを介して後述するフック駆動部材の下方向への移動を抑止する抑止部材として機能する。
【００２０】
また、フック駆動部材１６は、前後、左右方向にガタつかないように扉２に固定したフック駆動部材ガイド金具１７によりガイドされる。フック駆動部材１６の形状は、例えば中央部までは、同一径で、その下部を一段細い段付き棒形状とすることができる。この場合は、下方に設けるフック駆動部材ガイト金具１７のガイド部の孔径は下部のシャフト径とほぼ同径にすることが必要である。
【００２１】
フック駆動部材１６の中央部には、シャフトを貫通して扉２の前後方向に貫通する貫通孔が設けられ、この貫通孔にはシャフトピン１８を挿入し、該ピン１８にはフック１９を取り付ける。
【００２２】
フック１９は、根元部に孔を空け、該孔の一端からＵ字形のフック部が形成される。Ｕ字形のフック部の根元には、フック部に嵌入したフック嵌合部材をロックするようにストッパ２０を設ける。該ストッパ２０の一端にはフックピン２１を挿入し、該フックピン２１を軸としてストッパ２０を回転可能に支持する。ストッパ２０のピン２１の軸にはねじりコイルバネを取り付け、前記ストッパをロックが掛かる方向に常時付勢する。フック１９の根元には更にもう一つ孔を設け該孔にはチェーン２２を取り付ける。チェーン２２は、容易に切断されないようにするため例えばステンレス鋼製とするとよい。チェーン２２の他方端は、扉の内側に設けたＵ形の引掛け部２３に固定する。なお、チェーン２２に代えて、ワイヤロープ、リンク機構等を用いることができる。
【００２３】
フック駆動部材１６の中央部に挿入したピン１８の前方部（扉側）には孔を設け、該孔に引っ張りバネ２４を引っ掛ける。引っ張りバネ２４の他端はフック駆動部材ガイド１７に引っ掛けてあり、フック駆動部材１６を常時下方向に付勢する。フック駆動部材１６の最下部には段溝を設け、該段溝にリング２５をはめ込んで、フック駆動部材の抜けを防止するストッパとして機能させる。
【００２４】
筐体１側には、フック１９を嵌合するためのフック嵌合部材２６を取り付ける。フック嵌合部材２６は、シャフト等を曲げ加工したコの字形のものであり、フック嵌合部材２６の前方（扉側）には、フック１９がフック嵌合部材２６に嵌合した（ロックした）状態で、フック１９に外部から容易に触れることができないようにガード（図示しない）を設けるとよい。
【００２５】
図８，９，１０は、ロックキー５に不正操作が加えられた場合におけるフック駆動部材及びフックの係合状態を説明する図であり、図８はロックキーにそのキー軸方向に押圧力が印加された場合、図９はロックキーにそのキー軸方向に引き抜き力が印加された場合、図１０はドリル攻撃がなされた場合の状態を説明する図である。
【００２６】
図８に示すようにロックキー５を押圧力が印加された場合（ロックキーが叩き込まれた場合）においては、ロックキー５は後方（反扉側）に移動する。このとき、ロックキー５の後部に取付けられているキー破損金具１４も後方に移動する。キー破損金具１４が後方に移動するとキー破損金具１４のＵ溝状係合部１４ｃに係合していたフック駆動部材１６が外れ、フック駆動部材１６はフック駆動部材ガイド１７に沿って引っ張りバネ２４に引っ張られて下方向に移動する。すなわちＵ溝状係合部１４ｃは抑止部材による抑止を解除する解除部として機能する。フック駆動部材１６が下方向に移動するとフック１９も下方向に移動する。フック１９のストッパ２０が筐体に取り付けたフック嵌合部材２６に当接すると、ストッパ２０はピン２１を軸として上方向に回動する。次いで、フック嵌合部材２６がフック１９と嵌合すると、ストッパ２０はねじりコイルバネ作用により下方向に回動する。これによりフック１９はフック嵌合部材２６と完全に嵌合（ロック）し、以後、このチェーンフック機構のロック作用により扉２を開くことはできなくなる。
【００２７】
なお、この状態で、上下のロックシャフト８ａ、８ｂが筐体に設けたシャフト受け金具１３ａ，１３ｂから外された場合には、扉２と筐体１はフック１９のみでロックされることになる。このとき、更にこじ開けようとすると、フック１９に多大な荷重が掛かることになる。特にフック１９を支えるピン１８に荷重が掛かり、ピン１８が破損することも考えられる。
【００２８】
しかし、ピン１８が破損されたとしても、フック１９は、チェーン２２及び係合部材２３を介して扉２に係合しているため、扉２がそれ以上開くことはない。
【００２９】
チェーン２２の長さは、ロックキー５が破壊され、フック１９が本体側のフック嵌合部材２６に引っ掛かり、フック駆動部材１６のピン１８も外れた状態で、扉２の開閉角度が極力小さく（５°以下）なるような長さに設定しておくとよい。
【００３０】
チェーン２２を最終的にロック手段とすることにより、たとえチェーン２２を切断しようとしても、チェーン２２はその両端以外は固定されていないため、容易に切断することができない。このためロック手段として効果的である。
【００３１】
図９に示すようにロックキー５に引き抜き力が印加された場合（ロックキー５が引抜かれた場合）においては、キー破損金具１４も前方（扉側）に移動する。キー破損金具１４の板厚は、変形可能な板厚（約２ｍｍ）に設定しておく。キー破損金具１４に引き抜き力が印加された場合、キー破損金具１４のロックキー５の軸近傍部分は、ロックキーに付随して移動するが、軸近傍以外の部分、例えばフック駆動部材１６を係止する部分は、扉あるいはフック駆動部材に当接して変形される。これにより、キー破損金具１４のＵ溝状係合部１４ｃに係合していたフック駆動部材１６が外れ、フック駆動部材１６はフック駆動部材ガイド１７に沿って引っ張りバネ２４に引っ張られて下方向に移動する。フック駆動部材１６が下方に移動すると前述したと同様にフック１９はフック嵌合部材２６と嵌合する。
【００３２】
図１０に示すようにドリル攻撃がなされた場合においては、例えば電動ドリルのドリル刃２７がロックキー５の軸部を貫通し、ドリル２７の先端がキー破損金具１４の後部に当たる。キー破損金具１４は、ロックキー５の軸に遊嵌して支持されているだけであるため、ドリル刃２７が当たるとキー破損金具１４は後方に移動する。キー破損金具１４が移動すると、キー破損金具１４のＵ溝状係合部１４ｃにより係止していたフック駆動部材１６の係止がが外れ、フック駆動部材１６はフック駆動部材ガイド１７に沿って引っ張りバネ２４に引っ張られて下方向に移動する。フック駆動部材１６が下方に移動すると前述したと同様にフック１９はフック嵌合部材２６と嵌合する。
【００３３】
以上の説明では、ロックシャフト８と連結するキー金具７及びフック駆動部材１６を係止するキー破損金具１４を別部品として示したが、キー金具７とキー破損金具１４を連結して構成することもできる。この場合には、ロックキー５を攻撃せずに、扉２を直接バール等でこじ開けようとした場合において、ロックシャフト８は相対的に扉の奥の方向に移動する。このときキー金具７とキー破損金具１４を連結しておけば、キー破損金具７も奥方向に移動する。キー破損金具１４が移動すると、キー破損金具１４のＵ溝状係合部１４ｃにより係止していたフック駆動部材１６の係止がが外れ、フック駆動部材１６はフック駆動部材ガイド１７に沿って引っ張りバネ２４に引っ張られて下方向に移動する。フック駆動部材１６が下方に移動すると前述したと同様にフック１９はフック嵌合部材２６と嵌合する。
【００３４】
以上説明したように本実施形態によれば、扉に取り付けたロックキーを電動工具等で攻撃されても、筐体の内側において扉と筐体内部に設けたフック嵌合部材間をフック及びチェーンを用いてロックするので扉を開放されることはない
また、扉あるいは筐体内部に振動検知器あるいは溶断検知器等の異常検知センサを設け、センサ出力をもとに例えばソレノイドを駆動してフックをフック嵌合部材に嵌合するように付勢することもできる。このように本実施形態によれば、扉に設けるロックシャフトの本数を多くしたり、ロックキーを耐ドリル用の高価なものとすることなく、安価で強固な防犯扉を提供することができる
【００３５】
【発明の効果】
以上説明したように本発明によれば、バール等の手工具のみならず、ハンドドリルやサンダーなどの携帯電動工具等による攻撃に対しても、容易に破壊されない防犯扉構造を安価な方法で提供することができる。
【図面の簡単な説明】
【図１】本発明の実施形態にかかる電子機器の防犯扉構造を説明する図（正面図）である。
【図２】本発明の実施形態にかかる電子機器の防犯扉構造を説明する図（側面図）である。
【図３】本発明の実施形態にかかる電子機器の防犯扉構造を説明する図（正面図）である。
【図４】電子機器の全体外観図である。
【図５】電子機器の全体正面図である。
【図６】ロック機構（ロック状態）を説明する図である。
【図７】ロック機構（ロック解除状態）を説明する図である。
【図８】フック駆動部材及びフックの係合状態を説明する図である。
【図９】フック駆動部材及びフックの係合状態を説明する図である。
【図１０】フック駆動部材及びフックの係合状態を説明する図である。
【符号の説明】
１　電子機器の筐体
２　開閉扉
３　操作パネル
４　紙幣／硬貨ユニット
５　ロックキー
６　大ナット
７　キー金具
８ａ，８ｂ　ロックシャフト
９　カラー
１０　ボルト
１１　ナット
１２　ガイド金具
１３ａ、１３ｂ　シャフト受け金具
１３ｃ　ネジ
１４　キー破損部材
１４ａ，１４ｂ　キー破損部材の曲げ部
１４ｃ　Ｕ溝状係合部
１５　キーカラー
１６　フック駆動部材
１６ａ　溝
１７　フック駆動部材ガイド金具
１８　シャフトピン
１９　フック
２０　ストッパ
２１　フックピン
２２　チェーン
２３　係合部材
２４　引っ張りバネ
２５　リング
２６　フック嵌合部材
２７　ドリル刃
２８　チェーンフック機構
【図１】
2004044171.tif 000003
【図２】
2004044171.tif 000004
【図３】
2004044171.tif 000005
【図４】
2004044171.tif 000006
【図５】
2004044171.tif 000007
【図６】
2004044171.tif 000008
【図７】
2004044171.tif 000009
【図８】
2004044171.tif 000010
【図９】
2004044171.tif 000011
【図１０】
2004044171.tif 000012